(57)【要約】      （修正有）【課題】指輪の回転防止を的確に実現できるとともに、指に装着した状態において良好なフィット感を得ることができ、指の関節部分を通過させる際にも何等問題が生じることがなく、更には、リング部への着脱も容易にできるような指輪の回転防止用具を提供する。【解決手段】指の指節に装着するリング部１２を備える指輪１１の装着時の回転を防止する指輪１１の回転防止用具１であって、リング部１２の一部の外周に隙間なく複数回コイル状に、かつ、極めて簡易に着脱可能に巻装される透明樹脂材からなる帯状弾性体２からなるものである。【選択図】図１
0003154657.tif 000002
【実用新案登録請求の範囲】
【請求項１】
指の指節に装着するリング部を備える指輪の装着時の回転を防止する指輪の回転防止用具であって、
前記リング部の一部の外周に隙間なく複数回巻装される帯状弾性体からなることを特徴とする指輪の回転防止用具。
【請求項２】
指の指節に装着するリング部を備える指輪の装着時の回転を防止する指輪の回転防止用具であって、
前記リング部の一部の外周に隙間なく複数回巻装される帯状弾性体からなり、
前記指輪が予め指節に装着されている場合におけるリング部の一部の外周への前記帯状弾性体の指節間関節への通過時、又は前記指輪のリング部の一部の外周に予め前記帯状弾性体を隙間なく複数回巻装しておく場合における当該指輪と帯状弾性体とを同時に指節間関節への通過時には、この指節間関節により前記帯状弾性体の厚さを縮めるようにして指節間関節を通過させ、
リング部の指節への装着状態で、前記帯状弾性体をその弾力により元の厚さに復元させて対応する指節外周に圧接させることで、装着時の回転を防止するようにしたことを特徴とする指輪の回転防止用具。
【請求項３】
指の指節に装着するリング部を備える指輪の装着時の回転を防止する指輪の回転防止用具であって、
前記リング部の一部の外周に隙間なく複数回コイル状に、かつ、簡易に着脱可能に巻装される透明樹脂材からなる帯状弾性体からなり、
前記指輪が予め指節に装着されている場合におけるリング部の一部の外周への前記帯状弾性体の指節間関節への通過時、又は前記指輪のリング部の一部の外周に予め前記帯状弾性体を隙間なく複数回巻装しておく場合における当該指輪と帯状弾性体とを同時に指節間関節への通過時には、この指節間関節により前記帯状弾性体の厚さを縮めるようにして指節間関節を通過させ、
リング部の指節への装着状態で前記帯状弾性体をその弾力により元の厚さに復元させて対応する指節外周に圧接させることで装着時の回転を防止するようにしたことを特徴とする指輪の回転防止用具。
【請求項４】
指の指節に装着するリング部と、このリング部に取り付けた宝飾品部とを備える指輪の装着時の回転を防止する指輪の回転防止用具であって、
前記リング部の宝飾品部取り付け部位とは反対側の外周に隙間なく複数回コイル状に、かつ、簡易に着脱可能に巻装される透明樹脂材からなる帯状弾性体からなり、
前記指輪が予め指節に装着されている場合におけるリング部の一部の外周への前記帯状弾性体の指節間関節への通過時、又は前記指輪のリング部の一部の外周に予め前記帯状弾性体を隙間なく複数回巻装しておく場合における当該指輪と帯状弾性体とを同時に指節間関節への通過時には、この指節間関節により前記帯状弾性体の厚さを縮めるようにして指節間関節を通過させ、リング部の指節への装着状態で前記帯状弾性体をその弾力により元の厚さに復元させて対応する指節外周に圧接させることで装着時の回転を防止するようにしたことを特徴とする指輪の回転防止用具。
【考案の詳細な説明】
【技術分野】
【０００１】
本考案は、指輪の回転防止を的確に実現できるとともに、指に装着した状態において良好なフィット感を得ることができ、指の関節部分を通過させる際にも何等問題が生じることがなく、更には、リング部への着脱も容易にできるような指輪の回転防止用具に関するものである。
【背景技術】
【０００２】
古来より、指に指輪を装着し装飾することは頻繁に行われているところである。ところで、人の指というのは、誰の指でもそうであるが、指輪の装着時に、装着される指部分よりも太い関節部分を通過して装着され指部分に収まることになる。ということは、当該指輪の口径サイズは、最低でも、装着される指部分よりも太い関節部分のサイズよりもわずかに大きい口径のものでなければならない。もし、それでなければ、当該指輪は関節部分を通過できず、装着され指部分に収まるらない。
【０００３】
更に、全ての指輪について言えることであるが、装着される指部分よりも太い関節部分を通過した後に所望の指部分に治まることから、装着された指部分で、不用意にいつでも回転してしまうことになる。このことは、ヘッド部に重量のある宝石又は貴金属等を配置した指輪の場合ほど顕著である。
【０００４】
このような指輪の回転現象は、使用者にとって極めて煩わしいものであり、しかも、宝石又は貴金属付の指輪の場合には、ヘッド部分の宝石又は貴金属が、常時、指の外側（手の甲側）に位置せず、どちらかの方向に傾いたり、手の平側に配置されてしまうことになり、当該宝石又は貴金属付の指輪の価値を損なってしまう恐れもある。
【０００５】
すなわち、指輪の使用者は、いつも宝石又は貴金属付の指輪のヘッド部分に位置する当該宝石又は貴金属を、常時、指の外側に位置させておきたいという美的感覚からの欲求を有しているものである。
従来、上記のような実情に対して、一時的に指輪を回転防止させるために指輪の裏面において、指輪の内側と指との間に、例えば、ティシュペーパーを小さくちぎって挟む等のことを行なっていた。
【０００６】
しかし、この場合、当該ティシュペーパーは次第にずれてしまい用をなさないのが実情である。また、指輪の内側と、指との間に例えば、ティシュペーパーを小さくちぎって挟むような場合、指輪を装着する指の種類によって、その都度ティシュペーパーの微妙な大きさ調整をしなければならず極めて煩雑で面倒であった。
【０００７】
上述したような指輪の回転防止を図るべく、従来においても種々の指輪回転防止具が提案されている。
【０００８】
例えば、特許文献１には、金属、プラスチック又はゴム製からなりコ状に形成した防止具を指輪の下部に装着し、位置ずれ防止を図る構成の指輪ずれ防止具が提案されている。
【０００９】
この特許文献１の場合、防止具をコ状に形成しているため、防止具装着状態の指輪を指の関節部分を通過させる際に、関節部分により防止具が側方に押され離脱し易いという問題を包含している。
【００１０】
特許文献２には、指輪の輪体の一部に弾性線材を巻装し指輪の内径を調節する構成の指輪用アダプターが提案されている。
【００１１】
この特許文献２の場合、弾性線材を指輪の一部に巻装するものであるため、指に装着した状態において指に対するフィット感が必ずしも良好でないという問題を包含している。
【先行技術文献】
【特許文献】
【００１２】
【特許文献１】実開平０５−６５２１５号公報
【特許文献２】実開昭５４−１２４７９５号公報
【考案の概要】
【考案が解決しようとする課題】
【００１３】
本考案が解決しようとする問題点は、指輪の回転防止を的確に実現できるとともに、指に装着した状態において良好なフィット感を得ることができ、指の関節部分を通過させる際にも何等問題が生じることがなく、更には、リング部への着脱も容易にできるような指輪の回転防止用具が存在しない点である。
【課題を解決するための手段】
【００１４】
本考案に係る指輪の回転防止用具は、指の指節（隣り合う２つの間接の間の部分）に装着するリング部を備える指輪の装着時の回転を防止する指輪の回転防止用具であって、リング部を備える指輪を指の指節に挿通した後、この状態において、当該リング部の一部の外周に、隙間なく帯状弾性体からなる回転防止用具を複数回巻装するようにしたことを最も主要な特徴とする。本考案に係る指輪の回転防止用具は、予め指輪のリング部の一部の外周に隙間なく帯状弾性体からなる回転防止用具を複数回巻装しておき、この状態において、帯状弾性体を伸ばしながらその厚さを縮めて、指輪と回転防止用具とを同時に指の指節に挿通して使用しても良いことは勿論である。
【考案の効果】
【００１５】
請求項１及び請求項２記載の考案によれば、指節への装着状態で指輪の回転防止を的確に図ることができ、関節の部分を通過させる際にも何等問題が生じることがなく、良好なフィット感を得ることができ、着脱も極めて簡略である指輪の回転防止用具を実現し提供することができる。
なお、本考案に係る指輪の回転防止用具の使用形態としては、リング部を備える指輪を指の指節に挿通した後、この状態において、当該リング部の一部の外周に、隙間なく帯状弾性体からなる回転防止用具を複数回巻装するようにして使用しても良く、また、予め指輪のリング部の一部の外周に隙間なく帯状弾性体からなる回転防止用具を複数回巻装しておき、この状態において、帯状弾性体を伸ばしながらその厚さを縮めて、指輪と回転防止用具とを同時に指の指節に挿通して使用しても良いことは勿論である。
指輪を指の指節に挿通した後、この状態において、リング部の一部の外周に、隙間なく帯状弾性体からなる回転防止用具を複数回巻装する際には、回転防止用具の先端を指輪と指の隙間に潜り込ませて回転防止用具をクルクルと回すことにより、回転防止用具をリング部の一部の外周に螺旋状に簡易に複数回巻装することができる。また、回転防止用具を外す際には、弾力のある回転防止用具の一端を持って引っ張ることにより簡単に外すことができる。いずれにしても、この回転防止用具の着脱は極めて簡便である。
【００１６】
請求項３記載の考案によれば、請求項１及び請求項２記載の考案と同様な効果を奏するとともに、帯状弾性体をポリエチレン製の透明合成樹脂材とすることにより、指節への装着状態において帯状弾性体が目立ちにくく体裁も良好な指輪の回転防止用具を実現し提供することができる。なお、請求項３記載の考案に係る指輪の回転防止用具の使用形態としては前記請求項１及び請求項２記載の考案の場合と同様である。
【００１７】
請求項４記載の考案によれば、ヘッド部に重量が大きい宝飾品部を備えた指輪の場合においても、請求項１乃至請求項３記載の考案と同様な効果を奏する指輪の回転防止用具を実現し提供することができる。なお、請求項４記載の考案に係る指輪の回転防止用具の使用形態としては前記請求項１及び請求項２記載の考案の場合と同様である。
【図面の簡単な説明】
【００１８】
【図１】図１は本考案の実施例に係る回転防止用具を指輪に巻装した状態を示す概略斜視図である。
【図２】図２は本実施例に係る回転防止用具を指輪に巻装する状態を示す概略斜視図である。
【図３】図３は本実施例に係る回転防止用具を指の奥側の指節に装着した状態を手の平側から見た場合を示す概略図である。
【図４】図４は本実施例に係る回転防止用具を指の奥側の指節に装着した状態を手の甲側から見た場合を示す概略図である。
【図５】図５は本実施例に係る回転防止用具を巻装した指輪を指の奥側の関節を通過させる時の状態を示す説明図である。
【図６】図６は回転防止用具を巻装した指輪を指の奥側の指節に装着した状態を示す説明図である。
【図７】図７は本実施例に係る指輪の変形例である指輪に転防止用具を巻装した例を示す概略斜視図である。
【考案を実施するための形態】
【００１９】
本考案は、指輪の回転防止を的確に実現できるとともに、指に装着した状態において良好なフィット感を得ることができ、指の関節部分を通過させる際にも何等問題が生じることがなく、リング部への着脱も簡略な指輪の回転防止用具を実現し提供するという目的を、指の指節に装着するリング部を備える指輪の装着時の回転を防止する指輪の回転防止用具であって、前記リング部の一部の外周に隙間なく複数回コイル状に、かつ、着脱可能に巻装される透明樹脂材からなる帯状弾性体からなり、前記リング部の指節間関節通過時には、この指節間関節により帯状弾性体の厚さを縮めてこの指節間関節を通過させ、リング部の指節への装着状態で前記帯状弾性体をその弾力により元の厚さに復元させて対応する指節外周に圧接させることで装着時の回転を防止する構成により実現した。
なお、本考案に係る指輪の回転防止用具の使用形態としては、リング部を備える指輪を指の指節に挿通した後、この状態において、当該リング部の一部の外周に、隙間なく帯状弾性体からなる回転防止用具を複数回巻装するようにして使用しても良く、また、予め指輪のリング部の一部の外周に隙間なく帯状弾性体からなる回転防止用具を複数回巻装しておき、この状態において、帯状弾性体を伸ばしながらその厚さを縮めて、指輪と回転防止用具とを同時に指の指節に挿通して使用しても良いことは勿論である。
【実施例】
【００２０】
以下に、本考案の実施例に係る指輪の回転防止用具について詳細に説明する。
本実施例に係る指輪１１の回転防止用具１は、図１に示すように、例えば人の薬指又は中指等のような指２１の奥側（手の甲又は手の平側）の指節（基節）２２に装着する指輪１１における金属製で円環状のリング部１２の一部の外周に巻装されるものである。
【００２１】
前記回転防止用具１は、例えば、ポリエチレン製の透明樹脂材からなり、例えば厚さ０．５ｍｍ乃至０．６ｍｍ、幅５乃至６ｍｍで、コイル状に隙間なく巻回され、前記リング部１２に巻装した状態での全長が１５乃至２０ｍｍ程度の帯状弾性体２からなるものである。すなわち、前記帯状弾性体２の巻数は、３乃至４程度としている。
【００２２】
前記回転防止用具１は、図２に示すように、帯状弾性体２をリング部１２の一部の外周に、一端側から順に他端側に至るようにコイル状に巻き、リング部１２の一部の外周を隙間なく包囲する状態に巻装するようになっている。
【００２３】
図３は、前記回転防止用具１を巻装した指輪１１を指２１の奥側の指節２２に装着した状態を手の平側から見た場合を示し、また、図４は前記回転防止用具１を巻装した指輪１１を指２１の奥側の指節２２に装着した状態を手の甲側から見た場合を示すものである。
【００２４】
また、前記リング部１２の帯状弾性体２を装着した部分以外の内周部と、帯状弾性体２の内側弧状部分とにわたって形成されるリング部１２の実質内径サイズは、指２１の奥側の関節（近位指節間関節）２３が帯状弾性体２を押圧しつつリング部１２内を通過可能であり、かつ、指２１の奥側における指節２２の手の平側の部分に帯状弾性体２が圧接するように設定されている。
【００２５】
このことについて、図５、図６を参照して更に詳述する。
図５は前記回転防止用具１を巻装した指輪１１を指２１の奥側の関節２３を通過させる時の状態を示し、図６は前記回転防止用具１を巻装した指輪１１を指２１の奥側における指節２２に装着した状態を示している。
【００２６】
図５に示すように、指輪１１のリング部１２を指２１の指先から挿入し前記関節２３を通過させる時には、前記関節２３の外周部により帯状弾性体２を伸ばすような状態にして当該帯状弾性体２の厚さを縮め、リング部１２の実質内径サイズを拡開させる。これにより、前記リング部１２は関節２３を通過できることになる。
【００２７】
また、図６に示すように、前記リング部１２の指節２２への装着状態では、前記帯状弾性体２がその弾力により元の厚さに復元した状態となり、これにより、指節２２の手の平側における部分に帯状弾性体２が圧接する状態となる。
なお、本考案に係る指輪１１の回転防止用具１の使用形態としては、リング部１２を備える指輪１１を指の指節２２に挿通した後、この状態において、当該リング部１２の一部の外周に、隙間なく帯状弾性体２からなる回転防止用具１を複数回巻装するようにして使用しても良く、また、予め指輪１１のリング部１２の一部の外周に隙間なく帯状弾性体２からなる回転防止用具１を複数回巻装しておき、この状態において、帯状弾性体２を伸ばしながらその厚さを縮めて、指輪１１と回転防止用具１とを同時に指の指節２２に挿通して使用しても良いことは勿論である。
指輪１１を指の指節２２に挿通した後、この状態において、リング部１２の一部の外周に、隙間なく帯状弾性体２からなる回転防止用具１を複数回巻装する際には、回転防止用具１の先端を指輪１１と指の隙間に潜り込ませて回転防止用具１をクルクルと回すことにより、回転防止用具１をリング部１２の一部の外周に螺旋状に簡易に複数回巻装することができる。また、回転防止用具１を外す際には、弾力のある回転防止用具１の一端を持って引っ張ることにより簡単に外すことができる。いずれにしても、この回転防止用具１の着脱は極めて簡便である。
【００２８】
この結果、前記リング部１２の指節２２への装着時には、指節２２の手の平側における部分と、帯状弾性体２との間に摩擦力が生じて前記リング部１２、すなわち、指輪１１が簡単には指節２２の回りに回転しなくなり、指輪１１の回転防止を的確に図ることができる。
【００２９】
なお、指２１の指先側の関節（遠位指節間関節）２４は、奥側の関節２３よりも小サイズであることは自明である。
【００３０】
本実施例に係る指輪１１の回転防止用具１によれば、上述したように、指節２２への装着状態で指輪１１の回転防止を的確に図ることができるとともに、前記関節２３の部分を通過させる際にも何等問題が生じることはない。
【００３１】
すなわち、指輪１１の指節２２への装着時、又は、指節２２からの取り外し時においても、前記帯状弾性体２が隙間なくリング部１２の一部の外周を包囲する状態に巻装されていることから、前記帯状弾性体２が関節２３に押されてリング部１２から離脱するという不都合がなくなる。
【００３２】
また、前記帯状弾性体２が隙間なくリング部１２の一部の外周を包囲する状態に巻装されていることから、指輪１１を指２１の指節２２に装着した状態において良好なフィット感を得ることができる。
【００３３】
更に、前記帯状弾性体２をリング部１２の一部の外周に一端側から順に他端側に至るようにコイル状に巻くだけで巻装でき、逆に帯状弾性体２を巻き解くだけでリング部１２の一部から離脱させることができ、リング部１２への着脱も極めて簡略である。
【００３４】
更に、帯状弾性体２をポリエチレン製の透明合成樹脂材とすることにより、指輪１１の指節２２への装着状態において帯状弾性体２が目立ちにくく体裁も良好となる。
【００３５】
図７は本実施例１に係る指輪１１の変形例である指輪１１Ａに前記回転防止用具１を巻装した例を示すものである。
【００３６】
この変形例である指輪１１Ａは、リング部１２のヘッド部に宝石、貴金属類等からなる宝飾品部１３を取り付け、既述した指輪１１の場合よりもヘッド部の重量を大きくしたものである。
【００３７】
このようなヘッド部の重量が大きい指輪１１Ａに前記回転防止用具１を巻装した場合においても、上述した場合と同様に、指節２２への装着状態で指輪１１の回転防止を的確に図ることができるとともに、前記関節２３の部分を通過させる際にも何等問題が生じることはない。
【００３８】
また、指輪１１の指節２２への装着時、又は、指節２２からの取り外し時にも前記帯状弾性体２の離脱がなく、指節２２に対する良好なフィット感が得られ、リング部１２への着脱も極めて簡略である等既述した場合と同様な効果を発揮させることができる。
なお、変形例に係る指輪１１Ａの回転防止用具１の使用形態としては、リング部１２を備える指輪１１Ａを指の指節２２に挿通した後、この状態において、当該リング部１２の一部の外周に、隙間なく帯状弾性体２からなる回転防止用具１を複数回巻装するようにして使用しても良く、また、予め指輪１１Ａのリング部１２の一部の外周に隙間なく帯状弾性体２からなる回転防止用具１を複数回巻装しておき、この状態において、帯状弾性体２を伸ばしながらその厚さを縮めて、指輪１１Ａと回転防止用具１とを同時に指の指節２２に挿通して使用しても良いことは勿論である。
指輪１１Ａを指の指節２２に挿通した後、この状態において、リング部１２の一部の外周に、隙間なく帯状弾性体２からなる回転防止用具１を複数回巻装する際には、回転防止用具１の先端を指輪１１Ａと指の隙間に潜り込ませて回転防止用具１をクルクルと回すことにより、回転防止用具１をリング部１２の一部の外周に螺旋状に簡易に複数回巻装することができる。また、回転防止用具１を外す際には、弾力のある回転防止用具１の一端を持って引っ張ることにより簡単に外すことができる。いずれにしても、この回転防止用具１の着脱は極めて簡便である。
【産業上の利用可能性】
【００３９】
本考案の回転防止用具は、ファッションリング、婚約指輪、結婚指輪等の各種用途の指輪に対しても、また、内円周値が大小に異なる各種サイズの指輪に対しても広範に適用可能である。
【符号の説明】
【００４０】
１    回転防止用具
２    帯状弾性体
１１    指輪
１１Ａ  指輪
１２    リング部
１３    宝飾品部
２１    指
２２    指節
２３    関節
２４    関節
【図１】
0003154657.tif 000003
【図２】
0003154657.tif 000004
【図３】
0003154657.tif 000005
【図４】
0003154657.tif 000006
【図５】
0003154657.tif 000007
【図６】
0003154657.tif 000008
【図７】
0003154657.tif 000009